(57)【要約】      （修正有）【課題】使用者から視認しうるノズル収納部近傍の領域における汚れを抑制できる衛生洗浄装置の提供。【解決手段】局部洗浄ノズル４７３の全体を収納可能なノズル収納部４８０を有するケーシング４００と、ノズル収納部４８０内における局部洗浄ノズル４７３の前端部の周囲に設けられ、局部洗浄ノズル４７３の外面に洗浄水を吐出するノズル洗浄孔を有するノズル洗浄部４７８と、除菌作用を有する光である除菌光を照射する照光部７００と、を備え、局部洗浄ノズル４７３の前面とノズル洗浄部４７８とノズル収納部４８０の局部洗浄ノズル下方に位置する部分とには、局部洗浄ノズル４７３の全体がノズル収納部４８０内に収納された状態で使用者から視認可能な視認可能領域が含まれ、照光部７００は、視認可能領域に対して除菌光を照射する。【選択図】図３
2019210656.tif 000002
【特許請求の範囲】
【請求項１】
腰掛大便器の上部に設置される衛生洗浄装置であって、
前方側に向かって下降傾斜しており、使用者の局部に向けて洗浄水を吐出する吐水孔を有する局部洗浄ノズルと、
前記局部洗浄ノズルを進出及び後退させる駆動装置と、
前記局部洗浄ノズルを後退させた状態において、前記局部洗浄ノズルの全体を収納可能なノズル収納部を有するケーシングと、
前記ノズル収納部内における前記局部洗浄ノズルの前端部の周囲に設けられ、前記局部洗浄ノズルの外面に洗浄水を吐出するノズル洗浄孔を有するノズル洗浄部と、
除菌作用を有する光である除菌光を照射する照光部と、
を備え、
前記局部洗浄ノズルの前面と前記ノズル洗浄部と前記ノズル収納部の前記局部洗浄ノズル下方に位置する部分とには、前記局部洗浄ノズルの全体が前記ノズル収納部内に収納された状態で使用者から視認可能な視認可能領域が含まれ、
前記照光部は、前記視認可能領域に対して前記除菌光を照射することを特徴とする衛生洗浄装置。
【請求項２】
前記照光部は、前記ノズル収納部の前記視認可能領域における前記除菌光の平均照度が、前記ノズル収納部の前記視認可能領域以外の領域である非視認可能領域における前記除菌光の平均照度よりも大きくなるよう構成されていることを特徴とする請求項１記載の衛生洗浄装置。
【請求項３】
前記照光部は、前記ノズル収納部の前記視認可能領域における前記除菌光の照射範囲が、前記ノズル収納部の前記視認可能領域以外の領域である非視認可能領域における前記除菌光の照射範囲よりも広くなるよう構成されていることを特徴とする請求項１又は２に記載の衛生洗浄装置。
【請求項４】
前記ノズル収納部の前記視認可能領域以外の領域である非視認可能領域は、当該非視認可能領域の水が前記ノズル収納部の前記視認可能領域に誘導されるよう形成されていることを特徴とする請求項１〜３のいずれか１項に記載の衛生洗浄装置。
【請求項５】
前記照光部は、前記除菌光を発光するための発光体を有し、
前記発光体は、前記ケーシング内における前記ノズル収納部外に配置され、
前記ノズル収納部は、前記発光体から発光された前記除菌光を前記ノズル収納部内に導くための透過部を有することを特徴とする請求項１〜４のいずれか１項に記載の衛生洗浄装置。
【請求項６】
前記発光体は、前記局部洗浄ノズルの前端よりも上方に配置され、
前記照光部は、前記局部洗浄ノズルの上方に照射された前記除菌光を、前記ノズル収納部内の前記視認可能領域に導光するための導光手段をさらに有することを特徴とする請求項５記載の衛生洗浄装置。
【請求項７】
前記導光手段は、前記ノズル洗浄部を導光材料で形成したものであることを特徴とする請求項６記載の衛生洗浄装置。
【発明の詳細な説明】
【技術分野】
【０００１】
本発明の態様は、一般的に、衛生洗浄装置に関する。
【背景技術】
【０００２】
特許文献１には、局部洗浄ノズルを備えた衛生洗浄装置が開示されている。この衛生洗浄装置では、局部洗浄ノズルに付着した汚れを除去するために、局部洗浄ノズルに対して、洗浄水を噴射すると共に除菌作用を有するＵＶ光を照射している。
【先行技術文献】
【特許文献】
【０００３】
【特許文献１】特開２０１３−８３１４１号公報
【発明の概要】
【発明が解決しようとする課題】
【０００４】
特許文献１に開示された技術によれば、局部洗浄ノズルの汚れを抑制することが可能となる。また、特許文献１では、ＵＶ光を局部洗浄ノズルの上方から照射し、局部洗浄ノズルだけでなく、その周辺部にも照射する点が開示されている。しかし、局部洗浄ノズルは傾斜配置されているため、局部洗浄ノズルの上方からＵＶ光を照射しても、局部洗浄ノズルの上部が陰となり、局部洗浄ノズルの前面や局部洗浄ノズルの下方に位置するノズル収納部にＵＶ光が照射されない。このため、特許文献１の技術では、ノズル収納部の汚れを十分に抑制できない。
【０００５】
ノズル収納部の汚れには、便や尿が付着することによる汚れと、ノズル収納部に局部洗浄やノズルのセルフクリーニングなどにより付着した水に、トイレ空間中に浮遊する菌やカビが付着し、増殖することにより発生した可視汚れが存在する。このノズル収納部には、使用者が衛生洗浄装置を正面又は正面下方から覗き込んだ際に目視可能な領域が存在する。ノズル収納部に菌やカビが付着していることを使用者が認識すると、局部洗浄ノズル自体がきれいであったとしても、その局部洗浄ノズルの清潔性について使用者が不安を感じる可能性がある。この結果、清潔意識の高い使用者においては、局部洗浄ノズルを使用しなくなる恐れがある。
【０００６】
本発明は、上述した課題に鑑み、ノズル収納部近傍の使用者から視認しうる領域における汚れを抑制できる衛生洗浄装置を提供することを目的とする。
【課題を解決するための手段】
【０００７】
第１の発明は、腰掛大便器の上部に設置される衛生洗浄装置であって、前方側に向かって下降傾斜しており、使用者の局部に向けて洗浄水を吐出する吐水孔を有する局部洗浄ノズルと、前記局部洗浄ノズルを進出及び後退させる駆動装置と、前記局部洗浄ノズルを後退させた状態において、前記局部洗浄ノズルの全体を収納可能なノズル収納部を有するケーシングと、前記ノズル収納部内における前記局部洗浄ノズルの前端部の周囲に設けられ、前記局部洗浄ノズルの外面に洗浄水を吐出するノズル洗浄孔を有するノズル洗浄部と、除菌作用を有する光である除菌光を照射する照光部と、を備え、前記局部洗浄ノズルの前面と前記ノズル洗浄部と前記ノズル収納部の前記局部洗浄ノズル下方に位置する部分とには、前記局部洗浄ノズルの全体が前記ノズル収納部内に収納された状態で使用者から視認可能な視認可能領域が含まれ、前記照光部は、前記視認可能領域に対して前記除菌光を照射することを特徴とする衛生洗浄装置である。
【０００８】
この衛生洗浄装置によれば、照光部により、局部洗浄ノズルの前面や、ノズル洗浄部、ノズル収納部の局部洗浄ノズル下方に位置する部分の視認可能領域に除菌光が照射され、ノズル収納部近傍の使用者から目視可能な領域における汚れの付着を抑制できる。これにより、使用者に、局部洗浄ノズルが清潔な場所に収納されていると認識させることができる。このため、清潔意識の高い使用者においても、局部洗浄ノズルを安心して使用することができる。
【０００９】
第２の発明は、第１の発明において、前記照光部は、前記ノズル収納部の前記視認可能領域における前記除菌光の平均照度が、前記ノズル収納部の前記視認可能領域以外の領域である非視認可能領域における前記除菌光の平均照度よりも大きくなるよう構成されていることを特徴とする衛生洗浄装置である。
【００１０】
この衛生洗浄装置によれば、視認可能領域に重点的に除菌光が照射される。このため、清潔性が高く要求される視認可能領域に汚れがより付着し難くなる。また、衛生洗浄装置については、近年デザイン性を向上させるために小型化が望まれている。非視認可能領域における平均照度を視認可能領域よりも小さくすることで、不要な除菌光の照射が抑制され、照光部に印加する電力を小さくできる。電力が小さくなると、照光部の発熱が小さくなる。これにより、照光部の発熱を放熱させるヒートシンクなどを小さくができ、照光部を小型化できる。この結果、衛生洗浄装置を小型化することができる。
【００１１】
第３の発明は、第１又は第２の発明において、前記照光部は、前記ノズル収納部の前記視認可能領域における前記除菌光の照射範囲が、前記ノズル収納部の前記視認可能領域以外の領域である非視認可能領域における前記除菌光の照射範囲よりも広くなるよう構成されていることを特徴とする衛生洗浄装置である。
【００１２】
この衛生洗浄装置によれば、視認可能領域に重点的に除菌光が照射される。このため、清潔性が高く要求される視認可能領域に汚れがより付着し難くなる。また、衛生洗浄装置については、近年デザイン性を向上させるために小型化が望まれている。非視認可能領域における照射範囲を視認可能領域よりも小さくすることで、不要な除菌光の照射が抑制され、照光部に印加する電力を小さくできる。電力が小さくなると、照光部の発熱が小さくなる。これにより、照光部の発熱を放熱させるヒートシンクなどを小さくができ、照光部を小型化できる。この結果、衛生洗浄装置を小型化することができる。
【００１３】
第４の発明は、第１〜第３のいずれか１つの発明において、前記ノズル収納部の前記視認可能領域以外の領域である非視認可能領域は、当該非視認可能領域の水が前記ノズル収納部の前記視認可能領域に誘導されるよう形成されていることを特徴とする衛生洗浄装置である。
【００１４】
この衛生洗浄装置によれば、非視認可能領域において菌やカビが増殖する要因となる残水（局部洗浄ノズルのセルフクリーニング等によってノズル収納部内に流入した水）の発生を抑制でき、非視認可能領域に汚れが付着することを抑制できる。また、この結果、非視認可能領域で発生したカビから胞子がノズル収納部内に放出され、視認可能領域に菌やカビが繁殖することを抑制できる。
【００１５】
第５の発明は、第１〜第４のいずれか１つの発明において、前記照光部は、前記除菌光を発光するための発光体を有し、前記発光体は、前記ケーシング内における前記ノズル収納部外に配置され、前記ノズル収納部は、前記発光体から発光された前記除菌光を前記ノズル収納部内に導くための透過部を有することを特徴とする衛生洗浄装置である。
【００１６】
この衛生洗浄装置によれば、発光体をノズル収納部外に配置することで、発光体に水がかかって故障することを防止できる。また、ノズル収納部に透過部を設けたことで、発光体をノズル収納部外に配置した場合であっても、除菌光をノズル収納部内に透過させて、視認可能領域に照射することができる。
【００１７】
第６の発明は、第５の発明において、前記発光体は、前記局部洗浄ノズルの前端よりも上方に配置され、前記照光部は、前記局部洗浄ノズルの上方に照射された前記除菌光を、前記ノズル収納部内の前記視認可能領域に導光するための導光手段をさらに有することを特徴とする衛生洗浄装置である。
【００１８】
一般的な衛生洗浄装置において、局部洗浄ノズルの上方には、局部洗浄ノズルの側方や下方に比べて空間的な余裕が存在する。従って、局部洗浄ノズルの上方に発光体を配置することで、局部洗浄ノズルの下方や側方などに発光体が配置される場合に比べて、衛生洗浄装置を小型化できる。また、導光手段を設けたことで、発光体を局部洗浄ノズルの上方に配置した場合であっても、局部洗浄ノズル上部によって陰となる局部洗浄ノズルの前端面や、局部洗浄ノズルの下方に位置するノズル収納部などに対しても除菌光を効率的に照射することができる。
【００１９】
第７の発明は、第６の発明において、前記導光手段は、前記ノズル洗浄部を導光材料で形成したものであることを特徴とする衛生洗浄装置である。
【００２０】
この衛生洗浄装置によれば、ノズル洗浄部を導光材料で形成することで、局部洗浄ノズル上部によって陰となる局部洗浄ノズルの前端面や、局部洗浄ノズルの下方に位置するノズル収納部などに対しても除菌光を効率的に照射することができる。
【発明の効果】
【００２１】
本発明の態様によれば、ノズル収納部近傍の使用者から視認しうる領域における汚れを抑制できる衛生洗浄装置が提供される。
【図面の簡単な説明】
【００２２】
【図１】実施形態に係る衛生洗浄装置を備えたトイレ装置を表す斜視図である。
【図２】実施形態に係る衛生洗浄装置の要部構成を表すブロック図である。
【図３】実施形態に係る衛生洗浄装置の局部洗浄ノズル周辺を表す断面図である。
【図４】実施形態に係る衛生洗浄装置の内部構造を表す平面図である。
【図５】実施形態に係る衛生洗浄装置のノズル収納部を表す斜視図である。
【図６】実施形態に係る衛生洗浄装置の局部洗浄ノズル周辺を表す断面図である。
【図７】実施形態に係る衛生洗浄装置の局部洗浄ノズル周辺を表す断面図である。
【図８】実施形態に係る衛生洗浄装置の局部洗浄ノズル周辺を表す正面図である。
【図９】実施形態に係る衛生洗浄装置の局部洗浄ノズル周辺の一例を表す断面図である。
【図１０】実施形態に係る衛生洗浄装置の局部洗浄ノズル周辺の別の一例を表す断面図である。
【図１１】実施形態に係る衛生洗浄装置の照光部の変形例を表す平面図である。
【図１２】実施形態に係る衛生洗浄装置のノズル洗浄部の変形例を表す断面図である。
【図１３】実施形態に係る衛生洗浄装置のノズル洗浄部の変形例を表す斜視図である。
【図１４】実施形態に係る衛生洗浄装置のノズル洗浄部の変形例を表す正面図である。
【図１５】実施形態に係る衛生洗浄装置の除菌光の波長分布の例を表すグラフである。
【図１６】実施形態に係る衛生洗浄装置の動作の具体例を例示するタイミングチャートである。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、実施形態に係る衛生洗浄装置を備えたトイレ装置を表す斜視図である。  
図１に表したように、トイレ装置は、腰掛大便器（以下説明の便宜上、単に「便器」と称する）８００と、その上に設置された衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２４】
ケーシング４００の内部には、便座２００に座った使用者の「おしり」などの洗浄を実現する身体洗浄機能部などが内蔵されている。また、例えばケーシング４００には、使用者の便座２００への着座を検知する着座検知センサ４０４が設けられている。着座検知センサ４０４が便座２００に座った使用者を検知している場合において、使用者が例えばリモコンなどの操作部５００（図２参照）を操作すると、局部洗浄ノズル（以下説明の便宜上、単に「ノズル」と称する）４７３を便器８００のボウル８０１内に進出させたり、ボウル８０１内から後退させたりすることができる。なお、図１に表した衛生洗浄装置１００では、ノズル４７３がボウル８０１内に進出した状態を表している。
【００２５】
ノズル４７３は、人体局部に向けて水（洗浄水）を吐出し、人体局部の洗浄を行う。ノズル４７３の先端部には、ビデ洗浄吐水口４７４ａ及びおしり洗浄吐水口４７４ｂが設けられている。ノズル４７３は、その先端に設けられたビデ洗浄吐水口４７４ａから水を噴射して、便座２００に座った女性の女性局部を洗浄することができる。あるいは、ノズル４７３は、その先端に設けられたおしり洗浄吐水口４７４ｂから水を噴射して、便座２００に座った使用者の「おしり」を洗浄することができる。なお、本願明細書において「水」という場合には、冷水のみならず、加熱されたお湯も含むものとする。
【００２６】
「おしり」を洗浄するモードのなかには、例えば、「おしり洗浄」と、「おしり洗浄」よりもソフトな水流で優しく洗浄する「やわらか洗浄」と、が含まれる。ノズル４７３は、例えば、「ビデ洗浄」と、「おしり洗浄」と、「やわらか洗浄」と、を実行することができる。
【００２７】
なお、図１に表したノズル４７３では、ビデ洗浄吐水口４７４ａがおしり洗浄吐水口４７４ｂよりもノズル４７３の先端側に設けられているが、ビデ洗浄吐水口４７４ａ及びおしり洗浄吐水口４７４ｂの設置位置は、これだけに限定されるわけではない。ビデ洗浄吐水口４７４ａは、おしり洗浄吐水口４７４ｂよりもノズル４７３の後端側に設けられていてもよい。また、図１に表したノズル４７３では、２つの吐水口が設けられているが、３つ以上の吐水口が設けられていてもよい。
【００２８】
図２は、実施形態に係る衛生洗浄装置の要部構成を表すブロック図である。  
図２では、水路系と電気系の要部構成を併せて表している。  
図２に表したように、衛生洗浄装置１００は、導水部２０を有する。導水部２０は、水道や貯水タンクなどの給水源１０からノズル４７３に至る管路２０ａを有する。導水部２０は、管路２０ａにより、給水源１０から供給された水をノズル４７３に導く。管路２０ａは、例えば、以下に説明する電磁弁４３１、熱交換器ユニット４４０、流路切替部４７２などの各部と、これらの各部を接続する複数の配管と、によって形成される。
【００２９】
導水部２０の上流側には、電磁弁４３１が設けられている。電磁弁４３１は、開閉可能な電磁バルブであり、ケーシング４００の内部に設けられた制御部４０５からの指令に基づいて水の供給を制御する。換言すれば、電磁弁４３１は、管路２０ａを開閉する。電磁弁４３１を開状態にすることにより、給水源１０から供給された水が、管路２０ａに流れる。
【００３０】
電磁弁４３１の下流には、調圧弁４３２が設けられている。調圧弁４３２は、給水圧が高い場合に、管路２０ａ内の圧力を所定の圧力範囲に調整する。調圧弁４３２の下流には、逆止弁４３３が設けられている。逆止弁４３３は、管路２０ａ内の圧力が低下した場合などに、逆止弁４３３よりも上流側への水の逆流を抑制する。
【００３１】
逆止弁４３３の下流には、熱交換器ユニット４４０（加熱部）が設けられている。熱交換器ユニット４４０は、ヒータを有し、給水源１０から供給された水を加熱して例えば規定の温度まで昇温する。すなわち、熱交換器ユニット４４０は、温水を生成する。
【００３２】
熱交換器ユニット４４０は、例えばセラミックヒータなどを用いた瞬間加熱式（瞬間式）の熱交換器である。瞬間加熱式の熱交換器は、貯湯タンクを用いた貯湯加熱式の熱交換器と比較すると、短い時間で水を規定の温度まで昇温させることができる。なお、熱交換器ユニット４４０は、瞬間加熱式の熱交換器には限定されず、貯湯加熱式の熱交換器であってもよい。また、加熱部は、熱交換器に限ることなく、例えば、マイクロ波加熱を利用するものなど、他の加熱方式を用いたものでもよい。
【００３３】
熱交換器ユニット４４０は、制御部４０５と接続されている。制御部４０５は、例えば、使用者による操作部５００の操作に応じて熱交換器ユニット４４０を制御することにより、操作部５００で設定された温度に水を昇温する。
【００３４】
熱交換器ユニット４４０の下流には、流量センサ４４２が設けられている。流量センサ４４２は、熱交換器ユニット４４０から吐出された水の流量を検知する。すなわち、流量センサ４４２は、管路２０ａ内を流れる水の流量を検知する。流量センサ４４２は、制御部４０５に接続されている。流量センサ４４２は、流量の検知結果を制御部４０５に入力する。
【００３５】
流量センサ４４２の下流には、電解槽ユニット４５０が設けられている。電解槽ユニット４５０は、内部を流れる水道水を電気分解することにより、水道水から次亜塩素酸を含む液（機能水）を生成する。電解槽ユニット４５０は、制御部４０５に接続されている。電解槽ユニット４５０は、制御部４０５による制御に基づいて、機能水の生成を行う。
【００３６】
電解槽ユニット４５０において生成される機能水は、例えば、銀イオンや銅イオンなどの金属イオンを含む溶液であってもよい。あるいは、電解槽ユニット４５０において生成される機能水は、電解塩素やオゾンなどを含む溶液であってもよい。あるいは、電解槽ユニット４５０において生成される機能水は、酸性水やアルカリ水であってもよい。
【００３７】
電解槽ユニット４５０の下流には、バキュームブレーカ（ＶＢ）４５２が設けられている。バキュームブレーカ４５２は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ４５２は、導水部２０に水の流れが無い時に、管路２０ａ内に空気を取り込む。弁機構には、例えば、フロート弁が用いられる。
【００３８】
バキュームブレーカ４５２は、上記のように管路２０ａ内に空気を取り込むことにより、例えば、管路２０ａのバキュームブレーカ４５２よりも下流の部分の水抜きを促進させる。バキュームブレーカ４５２は、例えば、ノズル４７３の水抜きを促進する。このように、バキュームブレーカ４５２は、ノズル４７３内の水を抜いてノズル４７３内に空気を取り込むことにより、例えば、ノズル４７３内の洗浄水やボウル８０１内に溜まった汚水などが、給水源１０（上水）側に逆流してしまうことを抑制する。
【００３９】
バキュームブレーカ４５２の下流には、圧力変調部４５４が設けられている。圧力変調部４５４は、導水部２０の管路２０ａ内の水の流れに脈動または加速を与え、ノズル４７３のビデ洗浄吐水口４７４ａ及びおしり洗浄吐水口４７４ｂやノズル洗浄部４７８の吐水部から吐水される水に脈動を与える。すなわち、圧力変調部４５４は、管路２０ａ内を流れる水の流動状態を変動させる。圧力変調部４５４は、制御部４０５に接続されている。圧力変調部４５４は、制御部４０５による制御に基づいて、水の流動状態を変動させる。圧力変調部４５４は、管路２０ａ内の水の圧力を変動させる。
【００４０】
圧力変調部４５４の下流には、流量調整部４７１が設けられている。流量調整部４７１は、水勢（流量）の調整を行う。流量調整部４７１の下流には、流路切替部４７２が設けられている。流路切替部４７２は、ノズル４７３やノズル洗浄部４７８への給水の開閉や切替を行う。流量調整部４７１及び流路切替部４７２は、１つのユニットとして設けてもよい。流量調整部４７１及び流路切替部４７２は、制御部４０５に接続されている。流量調整部４７１及び流路切替部４７２の動作は、制御部４０５によって制御される。
【００４１】
流路切替部４７２の下流には、ノズル４７３、ノズル洗浄部４７８、及び噴霧ノズル４７９が設けられている。ノズル４７３は、ノズルモータ４７６からの駆動力を受け、便器８００のボウル８０１内に進出したり、ボウル８０１内から後退したりする。つまり、ノズルモータ４７６は、制御部４０５からの指令に基づいてノズル４７３を進退させる駆動装置である。
【００４２】
ノズル洗浄部４７８は、例えば、吐水部から機能水あるいは水を噴射することにより、ノズル４７３の外周表面（胴体）を洗浄する。噴霧ノズル４７９は、洗浄水や機能水をミスト状にしてボウル８０１に噴霧する。この例では、人体を洗浄するためのノズル４７３とは別に噴霧ノズル４７９を設けている。これに限ることなく、ミスト状の液体をボウル８０１に噴霧するための吐水口をノズル４７３に設けてもよい。
【００４３】
また、流路切替部４７２の下流には、おしり洗浄流路２１と、やわらか洗浄流路２２と、ビデ洗浄流路２３と、が設けられている。おしり洗浄流路２１及びやわらか洗浄流路２２は、導水部２０を介して給水源１０から供給された水や電解槽ユニット４５０において生成された機能水をおしり洗浄吐水口４７４ｂへ導く。ビデ洗浄流路２３は、導水部２０を介して給水源１０から供給された水や電解槽ユニット４５０において生成された機能水をビデ洗浄吐水口４７４ａへ導く。
【００４４】
また、流路切替部４７２の下流には、表面洗浄流路２４と、噴霧用流路２５と、が設けられている。表面洗浄流路２４は、導水部２０を介して給水源１０から供給された水や電解槽ユニット４５０において生成された機能水をノズル洗浄部４７８の吐水部へ導く。噴霧用流路２５は、導水部２０を介して給水源１０から供給される水や電解槽ユニット４５０において生成された機能水を噴霧ノズル４７９に導く。
【００４５】
制御部４０５は、流路切替部４７２を制御することにより、おしり洗浄流路２１、やわらか洗浄流路２２、ビデ洗浄流路２３、表面洗浄流路２４と、及び噴霧用流路２５の各流路の開閉を切り替える。このように、流路切替部４７２は、ビデ洗浄吐水口４７４ａ、おしり洗浄吐水口４７４ｂ、ノズル洗浄部４７８、及び噴霧ノズル４７９などの複数の吐水口のそれぞれについて、管路２０ａに連通させた状態と、管路２０ａに連通させない状態と、を切り替える。
【００４６】
制御部４０５は、電源回路４０１から電力を供給され、人体検知センサ４０３や着座検知センサ４０４、流量センサ４４２、操作部５００などから送られた信号に基づいて、電磁弁４３１や熱交換器ユニット４４０、電解槽ユニット４５０、圧力変調部４５４、流量調整部４７１、流路切替部４７２、ノズルモータ４７６などの作動を制御する。
【００４７】
また、制御部４０５は、例えば、人体検知センサ４０３や着座検知センサ４０４の検知情報に基づいて、照光部７００を制御する。照光部７００は、ノズル４７３の周辺（後述のノズル収納部）に除菌作用を有する光である除菌光を照射する。照光部７００については、後述する。
【００４８】
人体検知センサ４０３は、図１に表したように、ケーシング４００の上面に形成された凹設部４０９に埋め込まれるように設けられ、便座２００に近づいた使用者（人体）を検知する。換言すれば、人体検知センサ４０３は、衛生洗浄装置１００の近傍にいる使用者を検知する。また、便蓋３００の後部には透過窓３１０が設けられている。そのため、便蓋３００が閉じた状態において、人体検知センサ４０３は、透過窓３１０を介して使用者の存在を検知することができる。制御部４０５は、例えば、人体検知センサ４０３による使用者の検知に応答して、便蓋３００を自動的に開く。
【００４９】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００５０】
図３（ａ）、図３（ｂ）、図６、及び図７は、実施形態に係る衛生洗浄装置の局部洗浄ノズル周辺を表す断面図である。
図４は、実施形態に係る衛生洗浄装置の内部構造を表す平面図である。
図５は、実施形態に係る衛生洗浄装置のノズル収納部を表す斜視図である。
図８は、実施形態に係る衛生洗浄装置の局部洗浄ノズル周辺を表す正面図である。
なお、図４では、衛生洗浄装置１００のノズル４７３以外の構成が省略されている。
【００５１】
図３（ａ）及び図４に表したように、ケーシング４００は、ノズル４７３を後退させた状態において、ノズル４７３の全体を収納可能なノズル収納部４８０を有する。ノズル収納部４８０は、ノズル４７３を収納するための部材であり、ノズル４７３の全体が収納された状態でノズル４７３に隣接する。この例では、図５に表したように、ノズル収納部４８０として、ノズル支持部４８２が設けられている。
【００５２】
ノズル支持部４８２は、ノズル４７３の下方においてノズル４７３を支持する。ノズル支持部４８２は、後方から前方に向かう方向において、下方に傾斜している。ノズル４７３は、ノズル支持部４８２に対して摺動しながら、進出及び後退する。ノズル収納部４８０には、例えば、ノズル４７３を収納する筒状の部材が設けられてもよい。
【００５３】
ノズル洗浄部４７８は、ノズル支持部４８２の前端に取り付けられている。図３（ａ）に表したように、ノズル洗浄部４７８は、洗浄水を吐水する吐水穴が形成された吐水部４７８ａと、その支持体４７８ｂと、を含む。図３（ａ）及び図８に表したように、ケーシング４００の前端の下部には、開口４８１が設けられている。ノズル洗浄部４７８は、開口４８１の後方に位置する。ノズル洗浄部４７８は、例えば、ノズル４７３が進退する際に、吐水部４７８ａから機能水あるいは水を噴射することにより、ノズル４７３の外周表面（胴体）を洗浄する（セルフクリーニング）。
【００５４】
ノズル４７３は、使用されていない状態では、図３（ａ）に表すように、ノズル収納部４８０に収納されている。ノズル４７３によって局部洗浄が行われる場合、ノズル収納部４８０に対してノズル４７３が前下方に摺動する。ノズル４７３が前下方に摺動すると、ノズル４７３がノズル洗浄部４７８に接触し、ノズル洗浄部４７８の吐水部４７８ａが上方に押し上げられる。例えば、ノズル４７３が所定の位置に到達するまでの間に、吐水部４７８ａからの吐水によって、ノズル４７３が洗浄される。
【００５５】
図３（ｂ）に表すように、ノズル４７３が所定の位置に到達すると、ビデ洗浄吐水口４７４ａまたはおしり洗浄吐水口４７４ｂから使用者の局部に向けて水が吐出され、洗浄が行われる。局部洗浄が完了すると、ノズル４７３は、ノズル収納部４８０に向けて後上方に摺動する。例えば、ノズル４７３がノズル収納部４８０に収納されるまでの間に、吐水部４７８ａからの吐水によって、ノズル４７３が洗浄される。ノズル４７３は、所定の位置まで後退し、図３（ａ）に表した状態のように、ノズル収納部４８０に収納される。
【００５６】
図３（ａ）、図３（ｂ）、図４、及び図６に表したように、衛生洗浄装置１００は、除菌作用を有する光である除菌光を照射する照光部７００を備える。除菌光の照射により、対象に付着した菌の少なくとも一部が死滅又は不活性化し、除菌される。除菌光の波長は、２５０ｎｍ〜４８０ｎｍである。本発明者らの検討の結果、２５０ｎｍ〜３００ｎｍ付近の波長においては、菌・カビ等のＤＮＡを書き換えることで増殖できないようにし除菌し、３００〜４８０ｎｍ付近においては、菌・カビ等が体内に持つ水分に光が作用し、ラジカルを生成することで、そのラジカルにより菌を死滅又は不活性化し除菌することが分かっている。なお、発明者は、水道水に対して３００ｎｍ〜４８０ｎｍの波長を照射することにより、水道水中に過酸化水素が生成されることを確認している。これは、ラジカル生成における過程のなかで、水中に過酸化水素が生成されることを意味する。また、水中の菌に対して３００ｎｍ〜４８０ｎｍの波長の光を照射することにより水中の菌が除菌できることを確認している。照光部７００は、例えば、ケーシング４００の内部に設けられる。図４及び図６に表したように、この例では、照光部７００は、２つの発光部７１０を有している。２つの発光部７１０は、それぞれ、ノズル支持部４８２の下方の左右の側部に設けられている。
【００５７】
照光部７００は、例えば、発光素子７２０（発光体）を有する。発光素子７２０は、例えば、ＬＥＤ（Light Emitting Diode）である。発光素子７２０は、ＬＥＤに限ることなく、例えば、ＬＤ（Laser Diode）やＯＬＥＤ（Organic Light Emitting Diode）などでもよい。また、発光素子に代えて、冷陰極管や熱陰極管を用いてもよい。発光素子７２０は、例えば、基板を介して図２に示した制御部４０５に接続されており、制御部４０５の制御に基づいて点灯及び消灯する。制御部４０５は、発光素子７２０の点灯及び消灯を制御することで、照光部７００の作動を制御する。また、制御部４０５は、例えば、発光素子７２０に印加する電圧を調整することで、発光素子７２０の全光束を制御してもよい。発光素子７２０は、例えば、発光部７１０に設けられる。
【００５８】
発光部７１０は、ノズル４７３、ノズル洗浄部４７８、及びノズル収納部４８０のそれぞれの前方側（開口４８１側）に向けて除菌光を照射する。除菌光により、ノズル４７３の前面と、ノズル洗浄部４７８と、ノズル収納部４８０のノズル４７３下方に位置する部分と、を含む視認可能領域が除菌される。
【００５９】
視認可能領域について、図７及び図８を参照してより具体的に説明する。視認可能領域とは、ノズル４７３、ノズル洗浄部４７８、及びノズル収納部４８０の表面のうち、図７及び図８に表したようにノズル４７３の全体がノズル収納部４８０に収納された状態において、使用者から視認可能な領域を指す。例えば、使用者が矢印Ａ１（図７に示す）で表した方向から衛生洗浄装置１００を見た場合に視認可能な、ノズル４７３の前面の領域Ｒ１と、ノズル洗浄部４７８の領域Ｒ２と、ノズル４７３下方に位置するノズル収納部４８０の領域Ｒ３と、が視認可能領域である。
【００６０】
照光部７００が設けられることで、視認可能領域に除菌光が照射され、視認可能領域における汚れの付着を抑制できる。特に、本発明に係る衛生洗浄装置１００によれば、図７に表した領域Ｒ１〜領域Ｒ３のように、ノズル４７３の前面や、ノズル洗浄部４７８、ノズル収納部４８０のノズル４７３下方に位置する部分などにも除菌光が照射される。これらの部分は、使用者から見え易い一方、ノズル４７３に対する通常の除菌光の照射では、除菌光が十分に照射され難い。本発明によれば、このような部分にも除菌光を照射して汚れの付着を抑制できるため、使用者にノズル４７３が清潔な場所に収納されていると認識させることができる。このため、清潔意識の高い使用者においても、ノズル４７３を安心して使用することができるようになる。
【００６１】
照光部７００は、視認可能領域の全体に対して除菌光を照射することが望ましい。なお、本願明細書では、「視認可能領域の全体に対して除菌光を照射する」とは、視認可能領域の５０％以上、好ましくは７０％以上、より好ましくは９０％以上に対して、２４時間で菌が９９％減少するよう、除菌光を照射することを指す。照光部７００により、視認可能領域の全体が実質的に除菌される。
【００６２】
照光部７００は、ノズル収納部４８０内の視認可能領域以外の領域である非視認可能領域よりも、視認可能領域に対して、より重点的に除菌光を照射する。例えば、照光部７００は、視認可能領域における除菌光の平均照度が、非視認可能領域における除菌光の平均照度よりも大きくなるよう構成されている。または、照光部７００は、視認可能領域における除菌光の照射範囲が、非視認可能領域における除菌光の照射範囲よりも広くなるよう構成されている。
こうすることで、清潔性が高く要求される視認可能領域の汚れ除去性能を高くできる。また、衛生洗浄装置１００については、近年デザイン性を向上させるために小型化が望まれている。非視認可能領域よりも視認可能領域に重点的に除菌光を照射することで、不要な除菌光の照射が抑制され、照光部７００に印加する電力を小さくできる。電力が小さくなると、照光部７００の発熱が小さくなる。これにより、照光部７００の熱を放熱させるヒートシンクなどを小さくができ、照光部７００を小型化できる。この結果、衛生洗浄装置１００を小型化することができる。
【００６３】
また、ノズル収納部４８０の非視認可能領域は、局部洗浄やノズル４７３のセルフクリーニング等により生じた非視認可能領域の水がノズル収納部４８０の視認可能領域に誘導されるよう形成されていることが望ましい。図３及び図５に表した例では、ノズル収納部４８０を構成するノズル支持部４８２が、後方から前方に向かう方向において、下方に傾斜している。すなわち、非視認可能領域であるノズル支持部４８２の後方側から、視認可能領域であるノズル支持部４８２の前方側へ、水が誘導されるよう形成されている。
この構成によれば、非視認可能領域において菌やカビが増殖する要因となる残水の発生を抑制でき、非視認可能領域に汚れが付着することを抑制できる。また、この結果、非視認可能領域で発生したカビから胞子がノズル収納部内に放出され、視認可能領域に菌やカビが繁殖することを抑制できる。
【００６４】
例えば、発光部７１０は、上述したようにノズル支持部４８２下方の側部に設けられている。発光部７１０は、ノズル収納部４８０の内側に設けられても良いが、図４及び図６に表したように、ノズル収納部４８０の外に設けられることが望ましい。ノズル収納部４８０内には、ノズル４７３が洗浄された際や、洗浄されたノズル４７３が収納される際に、水が飛散する。従って、発光部７１０がノズル収納部４８０内に設けられていると、発光部７１０に水がかかり、発光部７１０の故障の原因となる。発光部７１０がノズル収納部４８０の外に設けられることで、発光部７１０及び発光部７１０への給電部に水がかからなくなり、発光部７１０が故障することを防止できる。
【００６５】
発光部７１０がノズル収納部４８０の外に設けられる場合、ノズル収納部４８０の除菌光が照射される部分は、光透過性であることが望ましい。すなわち、ノズル収納部４８０は、発光部７１０から発光された除菌光をノズル収納部４８０内に導くための透過部４８０ａ（図６に示す）を有していることが望ましい。透過部４８０ａが設けられることで、ノズル収納部４８０内の視認可能領域に照射される除菌光の照度を高め、除菌作用を高めることができる。
【００６６】
図９（ａ）及び図９（ｂ）は、実施形態に係る衛生洗浄装置の局部洗浄ノズル周辺の一例を表す断面図である。図９（ａ）及び図９（ｂ）においては、除菌光が照射される視認可能領域にドットを付している。
照光部７００は、例えば図９（ａ）に表したように、視認可能領域の全体に除菌光を照射するための反射部７４０を有する。反射部７４０は、発光部７１０から放射された除菌光Ｌを、視認可能領域に向けて反射させる。反射部７４０は、例えば、反射率を高めるために金属材料で形成され、ケーシング４００の内壁面に設けられる。また、反射部７４０の表面（発光部７１０に対向する面）は、鏡面加工されていることが望ましい。又は、反射部７４０は、反射率の高い樹脂材料で形成されても良い。このような樹脂材料として、例えば、フッ素系の化合物又はポリエステル系の化合物が用いられる。反射部７４０の全てが上述したような反射率の高い材料で構成されていても良いし、反射部７４０の一部のみが反射率の高い材料で構成されていても良い。
【００６７】
または、照光部７００は、導光手段７５０を有していても良い。導光手段７５０は、例えば図９（ｂ）に表したように、導光材料で形成されたノズル洗浄部４７８である。ノズル洗浄部４７８が導光材料からなることで、ノズル洗浄部４７８に照射された除菌光Ｌがノズル洗浄部４７８の内部を通り、ノズル洗浄部４７８から放射される。ノズル洗浄部４７８を構成する導光材料としては、例えば、アクリル系樹脂部材や、シリコン系樹脂、又はガラスなどが用いられる。
【００６８】
照光部７００が反射部７４０又は導光手段７５０を有することで、発光部７１０からは陰となるノズル４７３の前端面などにも効率的に除菌光を照射できる。これにより、より小さい（又は少ない）発光部７１０で、視認可能領域の全体に効率的に除菌光を照射でき、衛生洗浄装置１００を小型化できる。
【００６９】
なお、照光部７００の具体的構成は、適宜変更可能である。
図１０（ａ）及び図１０（ｂ）は、実施形態に係る衛生洗浄装置の局部洗浄ノズル周辺の別の一例を表す断面図である。図１０（ａ）及び図１０（ｂ）においては、除菌光が照射される視認可能領域にドットを付している。
図１１は、実施形態に係る衛生洗浄装置の照光部の変形例を表す平面図である。  
【００７０】
例えば図１０（ａ）に表したように、発光部７１０が、ノズル４７３の前端よりも上方に設けられていても良い。衛生洗浄装置１００においては、ノズル４７３の上方に、ノズル４７３の側方や下方に比べて空間的な余裕が存在する。従って、ノズル４７３の前端よりも上方に発光部７１０を設けることで、ノズル４７３の下方や側方に発光部７１０を設ける場合に比べて、衛生洗浄装置１００を小型化できる。
【００７１】
発光部７１０がノズル４７３の前端よりも上方に設けられる場合、発光部７１０は下方に向けて除菌光Ｌを照射する。この場合も、図１０（ａ）及び図１０（ｂ）に表したように、照光部７００は、反射部７４０又は導光手段７５０を有することが望ましい。反射部７４０又は導光手段７５０が設けられることで、発光部７１０からは陰となるノズル４７３の前端面やノズル４７３の下方に位置するノズル収納部４８０などに対しても効率的に除菌光Ｌを照射できる。
【００７２】
また、図１１に表したように、発光素子７２０はノズル収納部４８０から離れた位置に設けられてもよい。この例では、ノズル収納部４８０から左右に離れた位置に２つの発光素子７２０が設けられており、２つの発光素子７２０は、それぞれ、光ファイバ７３０を介してノズル収納部４８０の左右の側部に設けられた２つの発光部７１０に接続されている。
【００７３】
実施形態においては、このように、発光素子７２０から光ファイバなどで発光部７１０に除菌光を導光し、ノズル収納部４８０付近に設けられた発光部７１０からノズル収納部４８０に除菌光を照射してもよい。
【００７４】
図１２は、実施形態に係る衛生洗浄装置のノズル洗浄部の変形例を表す断面図である。
図１３は、実施形態に係る衛生洗浄装置のノズル洗浄部の変形例を表す斜視図である。
図１４は、実施形態に係る衛生洗浄装置のノズル洗浄部の変形例を表す正面図である。
【００７５】
ノズル洗浄部４７８の構造は、図３及び図５に表した例に限定されない。例えば、図１２及び図１３に表したノズル洗浄部４７８が設けられていても良い。この例では、ノズル洗浄部４７８は、ノズル支持部４８２の先端に取り付けられた筒状の部材である。ノズル４７３が完全に後退した状態において、ノズル４７３の前端は、ノズル洗浄部４７８に囲われる。ノズル洗浄部４７８の内壁には、ノズル４７３の外周に向けて洗浄水を吐水するための吐水穴が形成されている。例えば、ノズル収納部４８０は、このノズル洗浄部４７８と、ノズル支持部４８２と、から構成される。
【００７６】
図１２及び図１３に表したノズル洗浄部４７８が設けられる場合においても、衛生洗浄装置１００には、使用者から視認可能となる視認可能領域が存在する。例えば、図１４に表したように、ノズル４７３の前面の領域Ｒ１と、ノズル洗浄部４７８の領域Ｒ２と、ノズル４７３下方に位置するノズル収納部４８０の領域Ｒ３と、が視認可能領域である。照光部７００は、この視認可能領域に対して除菌光を照射する。
【００７７】
このように、ノズル収納部４８０近傍の構造は適宜変更可能である。いずれの構造においても、ノズル４７３の前面とノズル洗浄部４７８とノズル収納部４８０のノズル４７３下方に位置する部分とにおける視認可能領域に除菌光が照射されることで、当該領域における汚れの付着を抑制できる。
【００７８】
図１５は、実施形態に係る衛生洗浄装置の除菌光の波長分布の例を表すグラフである。  図１５に表したように、この例では、除菌光は、約３６０ｎｍ〜約４２０ｎｍの波長の光を含み、ピーク波長は、約３８５ｎｍである。このように、除菌光のピーク波長を、可視光域と紫外光域の境界付近に設定することで、例えば、紫外光成分であるＵＶ−Ａ成分（３１５ｎｍ以上４００ｎｍ以下）と紫〜青の可視光成分（４００ｎｍ以上４８０ｎｍ以下）とを含む除菌光を照射することができる。このような除菌光であれば、除菌光によるノズル収納部４８０の除菌効果と使用者への視認効果とを両立することができる。
【００７９】
なお、除菌光の光源は、１つに限定されない。例えば、除菌光として、１つの光源から紫外光成分を含み可視光成分を含まない光を照射するとともに、別の光源から可視光成分を含み紫外光成分を含まない光を照射してもよい。換言すれば、除菌光に含まれる紫外光成分と可視光成分とは、それぞれ、異なる光源から同時に照射されていてもよい。
【００８０】
次に、実施形態に係る衛生洗浄装置の動作の具体例について、図面を参照しつつ説明する。  
図１６は、実施形態に係る衛生洗浄装置の動作の具体例を例示するタイミングチャートである。  
図１６に表したように、人体検知センサ４０３が使用者を検知していない状態では、照光部７００は作動していない（タイミングｔ０）。より具体的には、照光部７００の発光素子７２０（例えば、ＬＥＤ）は、消灯している（ＯＦＦ）。
【００８１】
人体検知センサ４０３が衛生洗浄装置１００に近づいた使用者を検知すると、制御部４０５は、照光部７００を作動させる（タイミングｔ１）。より具体的には、制御部４０５は、照光部７００の発光素子７２０を点灯させる（ＯＮ）。
【００８２】
このように、使用者が衛生洗浄装置１００に近づいたことを検知したタイミングで照光部７００を作動させることで、使用者が便座２００に着座する前に、ノズル収納部４８０を除菌光で除菌していることを使用者に認識させることができる。
【００８３】
照光部７００は、例えば、着座検知センサ４０４が使用者の着座を検知するまで作動し続ける。換言すれば、制御部４０５は、人体検知センサ４０３が使用者を検知し、かつ着座検知センサ４０４が着座を検知していない状態において、照光部７００を作動させ続ける。
【００８４】
着座検知センサ４０４が使用者の着座を検知すると、制御部４０５は、照光部７００の作動を停止させる（タイミングｔ２）。より具体的には、制御部４０５は、照光部７００の発光素子７２０を消灯させる（ＯＦＦ）。
【００８５】
使用者が便座２００に着座した後は、開口４８１からケーシング４００の外側に除菌光が漏れている場合、使用者に除菌光の一部が照射されやすい状態となる。使用者が便座２００に着座したタイミングで照光部７００の作動を停止させることで、使用者に除菌光が照射されることを抑制し、使用者の安全性をより高めることができる。
【００８６】
照光部７００は、例えば、着座検知センサ４０４が使用者の離座を検知するまで作動を停止し続ける。換言すれば、制御部４０５は、着座検知センサ４０４が着座を検知している状態において、照光部７００の作動を停止させ続ける。
【００８７】
着座検知センサ４０４が使用者の離座を検知すると（着座検知センサ４０４が着座を検知している状態から着座を検知していない状態になると）、制御部４０５は、照光部７００を作動させる（タイミングｔ３）。より具体的には、制御部４０５は、照光部７００の発光素子７２０を点灯させる（ＯＮ）。これにより、離座した使用者に、ノズル収納部４８０の除菌が再開されたことを認識させることができる。
【００８８】
照光部７００は、所定時間ＴＭ１が経過するまで作動し続ける。換言すれば、制御部４０５は、人体検知センサ４０３が使用者を検知している状態から使用者を検知しない状態（タイミングｔ４）になっても、所定時間ＴＭ１が経過するまで照光部７００を作動させ続ける。
【００８９】
所定時間ＴＭ１が経過すると、制御部４０５は、照光部７００の作動を停止させる（タイミングｔ５）。より具体的には、制御部４０５は、照光部７００の発光素子７２０を消灯させる（ＯＦＦ）。
【００９０】
照光部７００は、トイレ装置が未使用の状態で所定時間ＴＭ２が経過すると作動する。換言すれば、制御部４０５は、人体検知センサ４０３が使用者を検知せず、かつ着座検知センサ４０４が着座を検知していない状態で、所定時間ＴＭ２が経過すると、照光部７００を作動させる（タイミングｔ６）。より具体的には、制御部４０５は、照光部７００の発光素子７２０を点灯させる（ＯＮ）。このように、制御部４０５は、人体検知センサ４０３が使用者を検知していない状態において、照光部７００を作動させてもよい。
【００９１】
人体検知センサ４０３が使用者を検知していない状態においても、除菌光によってノズル収納部４８０を除菌することで、除菌光の照射時間を長くすることができる。これにより、除菌光によるノズル収納部４８０の除菌効果を高めることができる。また、除菌光の照射時間を長くすることで、ピーク波長が比較的長い除菌光を照射する場合であっても、除菌光によるノズル収納部４８０の除菌効果が低下することを抑制できる。したがって、除菌効果が低下することを抑制しつつ、使用者の安全性を高めることができる。
【００９２】
所定時間ＴＭ３が経過すると、制御部４０５は、照光部７００の作動を停止させる（タイミングｔ７）。より具体的には、制御部４０５は、照光部７００の発光素子７２０を消灯させる（ＯＦＦ）。
【００９３】
所定時間ＴＭ１〜ＴＭ３は、任意の時間でよい。所定時間ＴＭ１〜ＴＭ３は、例えば、人体検知センサ４０３が使用者を検知していない状態における照光部７００の作動時間が、人体検知センサ４０３が使用者を検知している状態における照光部７００の作動時間よりも長くなるように、設定される。換言すれば、制御部４０５は、例えば、人体検知センサ４０３が使用者を検知していない状態における照光部７００の作動時間が、人体検知センサ４０３が使用者を検知している状態における照光部７００の作動時間よりも長くなるように照光部７００を制御する。これにより、除菌光によるノズル収納部４８０の除菌効果を更に高めることができる。
【００９４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９５】
１０ 給水源、  ２０ 導水部、  ２１ おしり洗浄流路、  ２２ やわらか洗浄流路、  ２３ ビデ洗浄流路、  ２４ 表面洗浄流路、  ２５ 噴霧用流路、  １００ 衛生洗浄装置、  ２００ 便座、  ３００ 便蓋、  ３１０ 透過窓、  ４００ ケーシング、  ４０１ 電源回路、  ４０３ 人体検知センサ、  ４０４ 着座検知センサ、  ４０５ 制御部、  ４０７ 排気口、  ４０８ 排出口、  ４０９ 凹設部、  ４３１ 電磁弁、  ４３２ 調圧弁、  ４３３ 逆止弁、  ４４０ 熱交換器ユニット、  ４４２ 流量センサ、  ４５０ 電解槽ユニット、  ４５２ バキュームブレーカ、  ４５４ 圧力変調部、  ４７１ 流量調整部、  ４７２ 流路切替部、  ４７３ ノズル、  ４７４ａ ビデ洗浄吐水口、  ４７４ｂ おしり洗浄吐水口、  ４７６ ノズルモータ、  ４７８ ノズル洗浄部、  ４７８ａ 吐水部、  ４７８ｂ 支持体、  ４７９ 噴霧ノズル、  ４８０ ノズル収納部、  ４８０ａ 透過部、  ４８１ 開口、  ４８２ ノズル支持部、  ５００ 操作部、  ７００ 照光部、  ７１０ 発光部、  ７２０ 発光素子、  ７３０ 光ファイバ、  ７４０ 反射部、  ７５０ 導光手段、  ８００ 便器、  ８０１ ボウル、  Ａ１ 矢印、  Ｌ 除菌光、  Ｒ１〜Ｒ３ 領域、  ｔ０〜ｔ７ タイミング、  ＴＭ１〜ＴＭ３ 所定時間
【図１】
2019210656.tif 000003
【図２】
2019210656.tif 000004
【図３】
2019210656.tif 000005
【図４】
2019210656.tif 000006
【図５】
2019210656.tif 000007
【図６】
2019210656.tif 000008
【図７】
2019210656.tif 000009
【図８】
2019210656.tif 000010
【図９】
2019210656.tif 000011
【図１０】
2019210656.tif 000012
【図１１】
2019210656.tif 000013
【図１２】
2019210656.tif 000014
【図１３】
2019210656.tif 000015
【図１４】
2019210656.tif 000016
【図１５】
2019210656.tif 000017
【図１６】
2019210656.tif 000018